(57)【要約】【課題】  この発明は、サポートベルトをベストに取付け、着用した際違和感をなくことによって常時携帯されて、要介護者を手軽に移動させることができ、さらに、個々の状況に対応してベルトを強固にかつ調節するサポーター用ベストを提供するものである。【解決手段】  この発明に係るサポーター用ベストは、ベスト１の内面側から両肩部を抜けて、前身頃の表面側において適宜長さをもって略平行状に垂設され、その先端部においてバックル結合によって連結される２本の支持帯５ａ、５ｂと、この支持帯に延設されてベストの後身頃の内面側に固着される荷重受止帯６ａ、６ｂを有するサポートベルト２を備え、該サポートベルト２は、その一方の支持帯５ａに設けられるバックル差込部８ａにはサポートベルト２の伸張状態を調節し、かつその摺動を停止するストッパ機構１７を設けたものである。【選択図】  図１
2005133266.tif 000002
【特許請求の範囲】
【請求項１】
ベストの裏面側から両肩部を抜けて、前身頃の表面側において適宜長さをもって略平行状に垂設され、その先端部においてバックル結合によって連結される２本の支持帯と、この支持帯に延設されてベストの後身頃の内面側に固着され、ベストの内面側の裾部に設けられる腰ベルトに取付けられる受止帯とからなるサポートベルトを備え、該サポートベルトは、バックル差込部をその先端側に設けた一方の支持帯を、バックル受部をその先端に設けた他方の支持帯よりも長く形成して、そのバックル結合を要介護者の脇の下付近で連結し、かつ、その一方の支持帯に設けられるバックル差込部にはサポートベルトの伸張状態を調節し、かつその摺動を停止するストッパ機構を設けたことを特徴とするサポーター用ベスト。
【発明の詳細な説明】
【技術分野】
【０００１】  本発明は、自立が不可能な要介護者を移動する際に、介護者がその介護操作を容易にかつ簡便に行うサポーター用ベストに関するものである。
【背景技術】
【０００２】  従来寝たきりの高齢者や重度の身体障害者等の自立が不可能な要介護者の移動については、介護用のリフトを用いた装置以外にも介護者が介護用衣服を着用して抱き支える等の動作で行う等様々なものが提案されている。【０００３】  その一例として、衣服本体とその背面側腰部から肩部を経由して身体正面側に延設されるリフトベルトを備え、このリフトベルトの一部は衣服本体の背面側腰部付近に形成される荷重受け部に取付けられ、また正面側の端部に輪が形成され、そのベルト長さが調節自在である介護用衣服がある（例えば、特許文献１参照）。【０００４】
【特許文献１】特開平１１−２７６５３３号公報
【発明の開示】
【発明が解決しようとする課題】
【０００５】  上述した従来の介護用衣服は、移動が必要な場合、リフトベルトに設けた輪に介護者や要介護者の腕を挿通したりする等の煩雑な準備作業が必要とされ、このため、リフトベルトで支えた状態の移動の際、介護者や要介護者の手足が拘束されて、介護者に求められる同時的な附属作業を束縛し、さらに、リフトベルトを保持する位置が要介護者の胴回り付近に限定され、移動途中の揺動等で緩んだり、摺れたりする恐れがあった。【０００６】  本発明の目的は、介護者が容易な操作で抱え支えられるベルトをベストに取付け、着用した際違和感をなくすことによって常時携帯されて、場所を問わずに必要に応じて要介護者を手軽に移動させることができ、さらに、要介護者の個々の状況に対応してベルトを強固にかつ調節することができるサポーター用ベストを提供するものである。
【課題を解決するための手段】
【０００７】  上記目的を達成するため、本発明に係るサポーター用ベストは、ベストの裏面側から両肩部を抜けて、前身頃の表面側において適宜長さをもって略平行状に垂設され、その先端部においてバックル結合によって連結される２本の支持帯と、この支持帯に延設されてベストの後身頃の内面側に固着され、ベストの内面側の裾部に設けられる腰ベルトに取付けられる受止帯とからなるサポートベルトを備え、該サポートベルトは、バックル差込部をその先端側に設けた一方の支持帯を、バックル受部をその先端に設けた他方の支持帯よりも長く形成して、そのバックル結合を要介護者の脇の下付近で連結し、かつ、その一方の支持帯に設けられるバックル差込部にはサポートベルトの伸張状態を調節し、かつその摺動を停止するストッパ機構を設けたことを特徴とするものである。
【発明の効果】
【０００８】  上記の構成を有することにより、本発明に係るサポーター用ベストは、ベストを着用することによってサポートベルトが常時携帯され、要介護者の移動を目的としたとき以外、例えば外出時や不意に生じる移動に対しても瞬時に手軽に対応することができるものである。【０００９】  さらに、サポートベルトは２本の支持帯のいずれか一方を前身頃の表面側で長く形成して、２本の支持帯を要介護者の身体に巻きつけて、その脇の下付近で先端をバックル結合して連結していることにより、手軽で、かつ簡便な操作でしっかりと保持することができるものである。【００１０】  さらに、バックル差込部を通して延出される支持帯の余端部の引張操作により、サポートベルトの長さを要介護者の状況に対応して容易に調節されることにより、好ましい状態でしっかりと抱き支えて保持することができるものである。【００１１】  さらに、バックル差込部にはストッパー機構が設けられて、サポートベルトの停止状態を維持していることにより、サポートベルトが要介護者を保持している移動途中で不用意に緩んだりする不具合防止され、安全に移動させることができる。【００１２】  さらに、サポートベルトを気軽に着用されるベストに一体的に備え、しかも、ポケット等を用いて場所を取らずに容易に収納され、また、簡単にに取出され、迅速に使用に供することができる。【００１３】  さらに、介護者は両手をサポートベルトに拘束されることがなく、自由に使えることが可能で、より安全に要介護者を動かすことができる。
【発明を実施するための最良の手段】
【００１４】  図１は、本発明に係るサポーター用ベストを示す正面図であり、図２は、同じく正面側の開放部を開いた状態を示す正面図であり、図３はその使用状態を示す略示図であり、図４はバックル差込部に備えられたストッパ機構を示す略示図である。
【００１５】  このサポーター用ベストは、図１および図２に示すように、ベスト１とサポートベルト２および腰ベルト３とから形成されている。
【００１６】  サポートベルト２は、適宜長さを有する布あるいはこれの類する柔軟性を有しかつ強靭な２本の帯状体が用いられ、この帯状体は、その前半部分をベスト１の肩口付近に穿設した通し口４を通って正面側、すなわち左右の前身頃１ａ、１ｂの表面側に略平行して垂設される支持帯５ａ、５ｂとし、また、後半部はベスト１の背面側、すなわち後身頃１ｃの内面側に添って設けられる荷重受止帯６ａ、６ｂとして、縫着その他の固着手段でベスト１に固定されて、その下端部が後述する腰ベルト３に適宜間隔を有して連結されている。
【００１７】  また、この２本の帯状体のベスト１に固着される荷重受止帯６ａ、６ｂは、その中間部分において交差されて固定され、また肩口付近で繋ぎ帯７で水平状に連結固定して、支持帯５ａ、５ｂに掛かる荷重を均等に分散し、また、安定した状態に保っているものである。
【００１８】  ベスト１の表面側に垂設される支持帯５ａ、５ｂは、その一方の支持帯５ａの先端にバックル差込部８ａが、また他方の支持帯５ｂの先端にはバックル受部８ｂが設けられて、２本の支持帯５ａ、５ｂを着脱可能にバックル結合している。
【００１９】支持帯は５ａ、５ｂは、バックル差込部８ａが設けられている一方の支持帯５ａをバックル受部８ｂが設けられている他方の支持帯５ｂよりもその長さを長く取って、要介護者３０の身体に巻きつけて保持する際、図３に示すように、要介護者４０の脇の下付近に結合されたバックル８が位置されるようにしてしっかりと保持しているものである。
【００２０】  この２本の支持帯５ａ、５ｂは、バックル差込部８ａをバックル受部８ｂに差し込んでバックル結合して使用に供するとともに、不使用時にはベスト１の前身頃１ａ、１ｂの表面側に設けられている胸ポケット９に折り畳んで収納されているものである。
【００２１】  サポートベルト２は、さらに、他方のバックル受部８ｂを設けた支持帯５ｂの中間部分には支持帯の長さの調節手段１０が設けられ、一方の支持帯５ａとの長さのバランスを保っているものである。
【００２２】  また、一方の支持帯５ａは、先端に設けられているバックル差込部８ａにおいて、支持帯５ａの先端分を折り返して延設される余端部１１を形成し、この余端部１１の伸縮操作で支持帯５ａの長さ調節を行って、要看護者３０に適した長さを保っているものである。
【００２３】  サポートベルト２を備えたベスト１を着用した介護者４０が、要介護者３０を抱きかかえて移動する際、胴回りをしっかりと固定してベスト１あるいはサポートベルト２の揺動や摺動をを防ぐための腰ベルト３は、図２に示すように、ベスト１の裾部付近の内面側に略水平状に設けられて、使用時、介護者４０の胴回りにしっかりと巻回してバックル結合で連結してベスト１の前身頃１ａ、１ｂで被覆されるようになっている。
【００２４】  この腰ベルト３は、その中間部分３ａにおいて、折り返された布地片の端部を縫着して形成される複数個の保持環１２に挿通して保持され、その両側においてベスト１にその一端を縫着された適宜幅の保持布１３に縫着固定され、この中間部分３ａから巻回部分３ｂ、３ｃが両側に延設されている。
【００２５】  この巻回部分３ｂ、３ｃは、その一方の巻回部分３ｂの先端にバックル差込部１４ｂが、また、他方の巻回部分３ｃの先端側にはバックル受部１４ａがそれぞれ取付けられ、このバックル差込部１４ｂには係止部（図示せず）が設けられて、巻回部分３ｃの終端部分を摺動可能に係止して、巻回部分３ｂ、３ｃをバックル結合して連結したのち、その長さを調節してしっかりと係止してなるものである。
なお、バックル受部１４ａ付近にも巻回部分３ｃの長さを調節されるようになっているものである。
【００２６】  なお、サポートベルト２の荷重受止帯６ａ、６ｂの下端は、適宜間隔をもって腰ベルト３の中間部分３ａを跨架して、その重なり合った部分を縫着するとともに、折り返された終端部を後身頃１ｃに縫着されているものである。
【００２７】  このように腰ベルト３は、ベストの内面側に設けられているため、介護者４０が巻回部分３ｂ、３ｃを腰部に回してバックル結合してしっかりと胴回りを支えたとき、支持帯５ａ、５ｂで密着状に保持した要介護者の身体が、このバックル部分に当らないように、ベスト１の前身頃５ａ、５ｂで保護されている。
【００２８】  また、この腰ベルト３は、使用するとき以外は、分割されている前身頃１ａ、１ｂの裾部寄りの内面側に設けられている裏ポケット１５に折り畳んで収納するもので、支持帯５ａ、５ｂと同じように嵩張らずに収納され、しかも迅速に取り出すことができるものである。
【００２９】  なお、ベスト１は、それぞれ左右に開放される前身頃１ａ、１ｂは、その合わせ面を要介護者３０の当接を考慮して面ファスナー等の苦痛や違和感を与えない止着手段１６で止めることが望ましい。
【００３０】  一方の支持帯５ａの先端に設けられているバックル差込部８ａに形成されるストッパ機構１７は、図４に示すように、差込片１８を先端側に設けたバックル差込部８ａの終端側には、ケース１９の側壁に斜め方向に穿設された長孔２０に摺動可能に取付けられた摺動ロール２１と、固定された案内ロール２２と、支持帯５ａ、５ｂの挿入端側に位置されたストッパ２３がそれぞれ形成されている。
【００３１】  このストッパ機構１８の係止を解除した状態においては、図４（イ）に示すように、支持帯５ａは、案内ロール２２の下を通って、この案内ロール２２とほぼ水平状態を保って長孔２０に装着されている摺動ロール２１を巻回して折返しその向きを変えて、再度案内ロール２２の下を通ってバックル差込部８ａの外に延長して余端部１１を形成している。
【００３２】  要介護者３０を胸にしっかりと抱え込んで２本の支持帯５ａ、５ｂをバックル差込部８ａの差込片１８をバックル受部８ｂの挿入口２４より段発的に挿し込んで装填することによって、バックル受部８ｂに設けたロックボタン２５が自動的にロック状態となって連結固定される。
【００３３】  この状態において、余端部１１を引っ張って要介護者３０をしっかりと支えられる状態まで引き伸ばす。
この際、摺動ロール２１がみだりに摺動しないように、一方の端面に設けられている摘み２６でロックしてその動きを阻止しているものである。
【００３４】  最も望ましい状態で要介護者３０を保持されると、図４（ロ）に示すように、摘み２６を外して再度余端部１１を引っ張ると、摺動ロール２１が斜め方向の長孔２０に添って摺動し、案内ロール２２と摺動ロール２１が近接して、摺動ロール２１に巻回されている支持帯５ａが押圧状に挟時されて余端部１１の動きが阻止される。
【００３５】  同時に開放端側に設けたストッパ２３を操作して支持帯５ａと余端部１１を押え込んで支持帯５ａの動きを完全に停止させて、図３に示すように、介護者４０の正面に抱え込んだ要介護者３０を、その移送途中で摺れ込んだり、あるいは支持帯５ａがみだりに緩んだりしないように強固にしっかりと保持する。
【００３６】  要介護者３０を目的地まで移動させて支持帯５ａを緩めるときは、図４（ロ）に示すそのロック状態において、ストッパ２３を解除し摺動ロール２１を摺動させて挟持を解き、案内ロール２２と略水平となる位置まで長孔２０に添って戻して、図４（イ）に示す解除状態に復帰させることによって、緊張された支持帯を緩め、バックル結合を解き、要介護者３０を移動位置に下すものである。
【００３７】  本発明に係るサポーターベストの使用手順について以下の通り説明する。
ベスト１を着用した介護者４０は、裏ポケット１５から腰ベルト３の巻回部分３ａ、３ｂを取り出して胴回りに回して両端をバックル結合して連結し、バックル差込部１４ｂに設けられている係止部で長さを調節してしっかりと固定してベスト１の前身頃１ａ、１ｂを合わせて止着手段１６で止める。
【００３８】  前身頃１ａ、１ｂの表面側に設けた胸ポケット９から支持帯５ａ、５ｂを取出して要介護者３０をベッドから上体を起し、座らせた状態で胸に引き寄せて抱き支え、左右の支持帯５ａ、５ｂを要介護者の背中を回して脇の下付近でバックル結合して連結する。
【００３９】  要介護者３０の状況を見ながら、支持帯５ａの余端部１１を引っ張りながらその長さを調節して、要介護者３０を介護者４０の胸にピッたりと引き寄せた最も望ましい状態でストッパ機構１７を操作してロック状態にする。
【００４０】  支持帯５ａ、５ｂすなわちサポートベルト２で強固に保持した要介護者３０を、介護者４０は肩、首あるいは腰に力を入れて支え上げる。この場合必要に応じて要介護者３０の太腿の辺り等を持ち上げて、車椅子に移動させるものである。
【００４１】  要介護者３０をサポートベルト２で保持して抱き支えるようにして、車椅子に移動する際、介護者４０はサポートベルト２で抱き支えた状態で、自由になる手で車椅子を押したり、引き寄せて要介護者３０を望ましい状態にしてから、車椅子に移動して安全を確認した後サポートベルト２を構成する支持帯５ａ、５ｂのバックル結合を解いて外し、要介護者３０を移動場所に移すものである。
【図面の簡単な説明】
【００４２】
【図１】  本発明に係るサポーターベストの表面側を示す正面略示図である。
【図２】  同じくその広げた状態を示す正面略示図である。
【図３】  サポーターベストを着用した保持状態を示す略示図である。
【図４】  ストッパ機構を示す略示図で、（イ）はその解除状態を、（ロ）はそのロック状態を示すものである。
【符号の説明】
【００４３】      １            ベスト
１ａ、１ｂ    ベスト１の前身頃
１ｃ          ベスト１の後身頃
２            サポートベルト
３            腰ベルト
３ａ          腰ベルト３の中間部分
３ｂ、３ｃ    腰ベルト３の巻回部分
４            通し口
５ａ          サポートベルト２の一方の支持帯
５ｂ          サポートベルト２の他方の支持帯
６ａ          サポートベルト２の一方の荷重受止帯
６ｂ          サポートベルト２の他方の荷重受止帯
７            繋ぎ帯
８            支持帯５ａ、５ｂのバックル
８ａ          支持帯５ａのバックル差込部
８ｂ          支持帯５ｂのバックル受部
９            胸ポケット
１０          支持帯５ｂの調節手段
１１          支持帯５ａの余端部
１２          保持環
１３          保持布
１４ａ        腰ベルト３のバックル受部
１４ｂ        腰ベルト３のバックル差込部
１５          裏ポケット
１６          前身頃１ａ、１ｂの止着手段
１７          ストッパ機構
１８          バックル差込部８ａの差込片
１９          ケース
２０          長孔
２１          摺動ロール
２２          案内ロール
２３          ストッパ
２４          挿入口
２５          ロックボタン
２６          摘み
３０          要介護者
４０          介護者
【図１】
2005133266.tif 000003
【図２】
2005133266.tif 000004
【図３】
2005133266.tif 000005
【図４】
2005133266.tif 000006